(57)【要約】      （修正有）【課題】子供に点滴注射が必要なとき、固定板を利用して子供の手を固定し、注射針の固定を便利にする、子供用点滴注射針固定板を提供する。【解決手段】固定板内に可塑性支持片が設けられ、固定が必要な部位に応じてその湾曲程度を調整することができ、前記固定板は比較的柔軟な被覆層で被覆され、前記被覆層はその内部の可塑性支持片の湾曲程度に応じて共に湾曲され、支持が必要な部位の曲線に合わせることができ、前記固定板の一側に載置部が設置され、他方の一側に粘着部が設置され、前記粘着部はベルトに対応し、使用者が手や腕を載置部に置いた後、ベルトを固定が必要な部位に巻きつけ、そのベルトの一端を前記粘着部に固定することができ、よく動く活発な子供が点滴注射を受ける際、動いて針が外れてしまうのを防ぐことができる。【選択図】図１
0003143184.tif 000002
【実用新案登録請求の範囲】
【請求項１】
固定板とベルトから構成され、前記固定板内に可塑性支持片及び被覆層が設けられ、前記可塑性支持片は固定する必要がある部位に応じてその湾曲程度を調整し、且つ前記被覆層と共に各部位の異なる湾曲程度の必要に合わせて湾曲させることができ、前記固定板の一側に粘着部と載置部が設けられ、前記載置部は固定する必要がある部位をその上に置くために用いられ、前記粘着部には粘着固定部材が設置され、前記粘着固定部材は前記ベルトを固定が必要な部位に巻きつけた後、前記固定板上に固定するために用いられることを特徴とする、子供用点滴注射針固定板。
【請求項２】
前記粘着固定部材がさらに、フック、ループ、面ファスナー、凹凸ボタン、留め具、その他調整と粘着貼付可能な固定構造体とすることができることを特徴とする、請求項１に記載の子供用点滴注射針固定板。
【請求項３】
前記固定板がさらに、固定槽、固定箱、固定リング及び固定する必要がある部位を置くことができる物品とすることができることを特徴とする、請求項１に記載の子供用点滴注射針固定板。
【請求項４】
前記固定板の載置部にさらに、固定時の快適性を増すため柔軟なパッドを設けることができることを特徴とする、請求項１に記載の子供用点滴注射針固定板。
【考案の詳細な説明】
【技術分野】
【０００１】
本考案は子供用点滴注射針固定板に関し、前記固定板は内部に可塑性支持片を備え、外部に唯一比較的柔軟性を備えた被覆層が設けられ、ベルトを手や腕に巻きつけて固定板を当てた後、前記ベルトと固定板の粘着部を固定し、子供が点滴注射を受けるとき針が外れてしまう危険を回避することができる、子供用点滴注射針固定板に関する。
【背景技術】
【０００２】
従来、一般に子供が点滴注射を受けるとき、いかなる固定のための装置もないため、枕や厚い布を子供の手や腕の下方に当てて固定するしかないが、子供はよく動き手や腕が揺れるため、針を同一部位に維持することができず、再度点滴注射をやり直さなければならなくなり、また子供は注射を怖がるため抵抗することが多く、医療過程において不便である。
【考案の開示】
【考案が解決しようとする課題】
【０００３】
本考案の目的は、子供に点滴注射が必要なとき、固定板を利用して子供の手を固定し、注射針の固定を便利にする、子供用点滴注射針固定板を提供することにある。
【課題を解決するための手段】
【０００４】
本考案の子供用点滴注射針固定板は、前記固定板内に可塑性支持片が設けられ、固定が必要な部位に応じてその湾曲程度を調整することができ、前記固定板は比較的柔軟な被覆層で被覆され、前記被覆層はその内部の可塑性支持片の湾曲程度に応じて共に湾曲され、支持が必要な部位の曲線に合わせることができ、前記固定板の一側に載置部が設置され、他方の一側に粘着部が設置され、前記粘着部はベルトに対応し、使用者が手や腕を載置部に置いた後、ベルトを固定が必要な部位に巻きつけ、そのベルトの一端を前記粘着部に固定することができ、前記設計によりよく動く活発な子供が点滴注射を受ける際、動いて針が外れてしまうのを防ぐことができる。
【考案の効果】
【０００５】
本考案の進歩性と実用性をよりはっきりと示すため、以下、従来と比較して分析する。
《従来の欠点》
1.  固定物体がなく、子供はよく動くため針でけがをしたり、針が外れたりしてしまうことがある。
2.  第一点を受け、点滴をやり直す必要が往々にして生じ、治療過程が長引いたり、子供に抵抗の心理を生じさせてしまったりすることがある。
3.  一般に枕や厚い布等の軟性物体を当てても、快適さは向上されるが、固定機能はない。
《本考案の利点》
1.  宙にぶらぶらされていた手や腕を固定し支持することができる。
2.  可塑性支持片は必要な湾曲度に応じて調整することができる。
3.  材質が軽く、使用に便利であり、空間を節約できる。
4.  柔軟性を備えた被覆材質で使用者の不快感を減少できる。
【考案を実施するための最良の形態】
【０００６】
本考案の子供用点滴注射針固定板について、以下図面と符号、及び実施霊に基づき詳細に説明する。図１と図２に示すように、本考案の子供用点滴注射針固定板は固定板ＡとベルトＡ１から構成され、そのうち、前記固定板Ａは内層に可塑性支持片Ａ４が設置され、前記可塑性支持片Ａ４の外層が被覆層Ａ３で被覆され、且つ前記可塑性支持片Ａ４は被覆層Ａ３と共に折り曲げることができる。前記固定板Ａの一側に粘着部Ａ２が設置され、前記粘着部Ａ２はベルトＡ１と相互に組み合わせて使用される。また、前記固定板Ａの他方の一側に手や腕を置くために用いられる載置部Ａ５が設けられる。
【０００７】
本考案の実施方式により提供する子供用点滴注射針固定板は、図２、図３、図４、図５に示すように、固定板Ａの内部に可塑性支持片Ａ４が設けられ、前記可塑性支持片Ａ４は湾曲可能な特性を持ち、その外層に設けられた比較的柔軟な被覆層Ａ３と共に折り曲げることができる。腕を前記固定板Ａの載置部Ａ５に置き、且つ前記固定板Ａを腕の曲線に合わせて湾曲させ、手や腕ベルトＡ１の一端と固定板Ａの粘着部を結合させ、他端を手や腕の固定が必要な箇所に巻きつけ、きつさを調整した後、ベルトＡ１の他端を粘着部Ａ２に固定する。このとき固定された手は点滴を打ちやすく、且つ固定板Ａは柔軟性を持つ被覆層Ａ３を備えているため、使用者の不快感を減少することができ、治療過程の進行に便利である。
【０００８】
上述をまとめると、本考案は先行技術を打破する構造の下、その増進を図る効果を確実に達することができ、且つ、関連技術を熟知した者が容易に思いつくものではなく、さらに、本考案は出願前に公開されたことがなく、その進歩性、実用性は実用新案登録出願の要件を満たしているため、法に基づきここに実用新案登録を出願するものである。
【図面の簡単な説明】
【０００９】
【図１】本考案の立体図である。
【図２】本考案の断面図である。
【図３】本考案の実施例図の一である。
【図４】本考案の実施例図の二である。
【図５】本考案の実施例図の三である。
【符号の説明】
【００１０】
A        固定板
Ａ１      ベルト
Ａ２      粘着部
Ａ３      被覆層
Ａ４      可塑性支持片
Ａ５      載置部
【図１】
0003143184.tif 000003
【図２】
0003143184.tif 000004
【図３】
0003143184.tif 000005
【図４】
0003143184.tif 000006
【図５】
0003143184.tif 000007